(57)【要約】      （修正有）【課題】処置具の３次元位置を精度よく検出して画像上に高精度に表示することができる放射線撮像装置を提供する。【解決手段】撮影角度の異なる複数の２次元撮像画像及び予め撮像された３次元画像を取得する画像取得部１１２と、３次元画像から２次元の計算投影画像を作成する計算投影画像作成部１１３と、２次元撮像画像に描出された処置具を示す特徴部位を抽出する特徴部位抽出部１１５と、２次元撮像画像と計算投影画像とを位置合せする画像位置合せ部１１４と、２次元撮像画像と計算投影画像とを比較して２次元撮像画像における処理対象の変形量を算出して特徴部位の位置を補正する変形量算出／補正部１１６と、特徴部位の３次元位置を算出する３次元位置算出部１１７と、特徴部位の３次元位置を補正する解剖構造位置補正部１１８と、補正後の特徴部位の３次元位置を３次元画像上に重畳させて表示装置に表示させる位置マッピング部１１９を備える。【選択図】図１
2019069037.tif 000002
【特許請求の範囲】
【請求項１】
放射線源及び検出器の位置を移動させることにより撮影角度の異なる複数の２次元撮像画像を撮像する撮像部と、
予め撮像された前記処理対象の３次元画像を取得する画像取得部と、
各前記２次元撮像画像に対応させて、前記３次元画像と前記２次元撮像画像を撮像した前記放射線源及び前記検出器の各位置とに基づいて、前記３次元画像から２次元の計算投影画像を作成する計算投影画像作成部と、
各前記２次元撮像画像に描出された処置具を示す特徴部位を抽出する特徴部位抽出部と、
各前記２次元撮像画像と、該２次元画像に対応する各前記計算投影画像とを位置合せする画像位置合せ部と、
各前記２次元撮像画像と、該２次元画像に対応する各前記計算投影画像とを比較して前記２次元撮像画像における前記処理対象の変形量を算出し、該変形量に基づいて前記特徴部位の位置を補正する変形量算出／補正部と、
各前記２次元撮像画像において補正された前記特徴部位の位置と、前記２次元撮像画像を撮影した前記放射線源及び前記検出器の各位置から、前記特徴部位の３次元位置を算出する３次元位置算出部と、
前記３次元画像から取得した前記処理対象の解剖構造情報に基づいて、前記特徴部位の３次元位置を補正する解剖構造位置補正部と、
前記解剖構造位置補正部によって補正された特徴部位の前記３次元位置を前記３次元画像上に重畳させ、補正後の特徴部位の前記３次元位置を重畳させた前記３次元画像を表示装置に表示させる位置マッピング部と、
を備えた放射線撮像装置。
【請求項２】
前記位置マッピング部が、前記３次元位置算出部によって算出された特徴部位の前記３次元位置を、補正後の特徴部位の前記３次元位置と共に３次元画像に重畳させる請求項１記載の放射線撮像装置。
【請求項３】
前記変形量算出／補正部が、
前記２次元撮影画像を非剛体変形させる非剛体変形部と、
非剛体変換した前記２次元撮影画像と前記計算投影画像とを比較して類似度を算出する画像比較部と、
前記類似度が最大となるパラメータを非剛体変形パラメータとして算出する変形パラメータ算出部と、
前記変形パラメータに基づいて、前記２次元撮影画像内における前記特徴部位の変形移動量を算出して前記特徴部位の位置を補正する撮影面内位置補正部と、
を備える請求項１又は請求項２記載の放射線撮像装置。
【請求項４】
前記変形量算出／補正部が、前記３次元画像に、前記処理対象の体内構造に基づく形状を示す疑似構造を重畳させる疑似構造付加部をさらに備える請求項３記載の放射線撮像装置。
【請求項５】
放射線源及び検出器の位置を異ならせて処理対象を撮影した撮影角度の異なる複数の２次元撮像画像と、予め撮像された前記処理対象の３次元画像とを取得する画像取得ステップと、
各前記２次元撮像画像に対応させて、前記３次元画像と前記２次元撮像画像を撮像した前記放射線源及び前記検出器の各位置とに基づいて、前記３次元画像から２次元の計算投影画像を作成する計算投影画像作成ステップと、
各前記２次元撮像画像に描出された処置具を示す特徴部位を抽出する特徴部位抽出ステップと、
各前記２次元撮像画像と、該２次元画像に対応する各前記計算投影画像とを位置合せする画像位置合せステップと、
各前記２次元撮像画像と、該２次元画像に対応する各前記計算投影画像とを比較して前記２次元撮像画像における前記処理対象の変形量を算出し、該変形量に基づいて前記特徴部位の位置を補正する変形量算出／補正ステップと、
各前記２次元撮像画像において補正された前記特徴部位の位置と、前記２次元撮像画像を撮影した前記放射線源及び前記検出器の各位置から、前記特徴部位の３次元位置を算出する３次元位置算出ステップと、
前記３次元画像から取得した前記処理対象の解剖構造情報に基づいて、前記特徴部位の３次元位置を補正する解剖構造位置補正ステップと、
補正された前記特徴部位の３次元位置を前記３次元画像上に重畳させ、補正後の特徴部位の前記３次元位置を重畳させた前記３次元画像を表示装置に表示させる位置マッピングステップと、
を備えた画像処理方法。
【請求項６】
放射線源及び検出器の位置を異ならせて処理対象を撮影した撮影角度の異なる複数の２次元撮像画像と、予め撮像された前記処理対象の３次元画像とを取得する画像取得ステップと、
各前記２次元撮像画像の各々に対応させて、前記３次元画像と前記２次元撮像画像を撮像した前記放射線源及び前記検出器の各位置とに基づいて、前記３次元画像から２次元の計算投影画像を作成する計算投影画像作成ステップと、
各前記２次元撮像画像に描出された処置具を示す特徴部位を抽出する特徴部位抽出ステップと、
各前記２次元撮像画像と、該２次元画像に対応する各前記計算投影画像とを位置合せする画像位置合せステップと、
各前記２次元撮像画像と、該２次元画像に対応する各前記計算投影画像とを比較して前記２次元撮像画像における前記処理対象の変形量を算出し、該変形量に基づいて前記特徴部位の位置を補正する変形量算出／補正ステップと、
各前記２次元撮像画像において補正された前記特徴部位の位置と、前記２次元撮像画像を撮影した前記放射線源及び前記検出器の各位置から、前記特徴部位の３次元位置を算出する３次元位置算出ステップと、
前記３次元画像から取得した前記処理対象の解剖構造情報に基づいて、前記特徴部位の３次元位置を補正する解剖構造位置補正ステップと、
補正された前記特徴部位の３次元位置を前記３次元画像上に重畳させ、補正後の特徴部位の前記３次元位置を重畳させた前記３次元画像を表示装置に表示させる位置マッピングステップと、
をコンピュータに実行させる画像処理プログラム。
【発明の詳細な説明】
【技術分野】
【０００１】
本発明は、放射線撮像装置、画像処理方法及び画像処理プログラムに係り、特に、被検体に処置具を挿入して検査又は治療を行う際の投影画像を取得する放射線撮像装置、画像処理方法及び画像処理プログラムに関する。
【背景技術】
【０００２】
Ｘ線源と２次元Ｘ線検出器を対向設置し、Ｘ線源と２次元Ｘ線検出器と被検体を固定あるいは移動させながら、被検体の静止画像や動画像を取得する放射線撮像装置（以下、単に「Ｘ線撮像装置」という）が知られている。また、内視鏡やカテーテル等の器具を体内に挿入して検査、治療を行う際に、Ｘ線撮像装置によって得られた投影Ｘ線画像を用いる技術が知られている。この技術では、投影Ｘ線画像上で、器具の位置や向きをリアルタイムに確認しながら検査又は治療を行うことができるという利点がある。
【０００３】
例えば、この投影Ｘ線画像は、肺がんの確定診断を行うための検査、すなわち、気管支内視鏡を用いて検体を採取する、所謂「生検」を行う際にも用いられる。この検査では、肺末梢部へ向けて、気管支内視鏡下でガイドシースを挿入する。特に、気管支内視鏡を挿入することができない肺末梢の気管支については、投影Ｘ線画像を参照して器具の位置や向きを確認しながらガイドシースを肺末梢病変部に誘導、留置し、ガイドシースを介して生検鉗子や細胞診ブラシを病変部へ到達させることにより検体を採取する。このような投影Ｘ線画像を用いた生検では、検体を病変部から採取しなければならず、そのために、術者は病変部である患部と処置具の位置関係を特に精度よく把握する必要がある。
【０００４】
ところが、術者は、投影Ｘ線画像において、生検鉗子や細胞診ブラシ等の処置具の位置を把握することができるものの、投影Ｘ線画像が２次元画像であることから、投影方向の位置を正確に把握することができない。すなわち、Ｘ線撮像装置のＸ線管と検出器（中心）を結ぶ軸を考えた場合、術者は投影Ｘ線画像において、軸に垂直な方向での処置具の位置や向きは容易に認識することができる。一方、軸と平行な方向（以下、奥行き方向）での処置具の位置や向きは、奥行き方向と投影方向とが一致するため、処置具の位置を正確に認識することは困難である。つまり、投影Ｘ線画像上で、病変部と処置具が重なって見える（画像上に描出されている）場合であっても、必ずしも処置具が病変部に到達しているとは限らない。
【０００５】
また、投影Ｘ線画像は、Ｘ線が通過する体内物質の吸収量の違いを画像化しているため、一般的に、吸収量の高い骨等は、画像上に描出されやすく、吸収量が低い軟組織等は、画像上に描出されにくい。つまり投影Ｘ線画像では、骨等は高いコントラストを持つが、腫瘍等を含む軟組織は低いコントラストとなり識別が容易ではない。肺がんにおいても、すりガラス陰影（Ｇｒｏｕｎｄ  Ｇｌａｓｓ  Ｏｐａｃｉｔｙ：ＧＧＯ）と呼ばれる種類のがんは、投影Ｘ線画像上では認識が困難である。処置具を通す血管や気管支も同様の理由により投影Ｘ線画像上での認識が困難である。このように、Ｘ線撮影画像上での病変部はそもそも視認性が低く、さらに、病変部と処置具、血管や気管支と処置具の位置関係を把握することは困難である。
【０００６】
各処置具の画像における視認性を向上させるべく、例えば、特許文献１には、Ｘ線撮像装置において取得された投影Ｘ線画像に３次元画像に基づく立体視画像を重畳させて目的物の位置を表示させる医療用Ｘ線装置が提案されている。より詳しくは、特許文献１の医療用Ｘ線装置では、事前に撮像された３次元画像と検査中に取得されたＸ線撮影画像とを用い、処置具の３次元位置を検出し、検出した３次元位置に対して被検体の体動を一定のシフトとみなし、処置具の３次元位置を補正することで処置具の位置を検出している。
【先行技術文献】
【特許文献】
【０００７】
【特許文献１】特許第５７８７０３０号公報
【発明の概要】
【発明が解決しようとする課題】
【０００８】
ここで、特に、気管支内視鏡を用いた生検等の検査中には、被検体の体動をはじめとする動きが問題となる。被検体の体動には、例えば、肺には呼吸性の移動があり、心臓周辺には拍動がある。また、肺内は気管、気管支、肺胞等の複雑な構造を成しており、且つ、軟組織であるため、病変、血管、処置具の挿入に起因した複雑な動きが生じる。このため、これらの複雑な動きに鑑みて３次元位置を把握しなければならない。
【０００９】
しかしながら、特許文献１の医療用Ｘ線装置では、被検体の体動を一定のシフトとみなして処置具の３次元位置を補正しているに過ぎず、上述のような気管、気管支、肺胞等の複雑な動きや、処置具の挿入に起因した変形（シフト）を補正することができない。すなわち、特許文献１の医療用Ｘ線装置では、被検体の体動として、主に呼吸による体動を想定しているに過ぎず、呼吸についても、呼吸によって生じる体内の組織・構造の変動は、局所的な関心領域では無視することができ、変動の大きさは一定とみなしている。つまり、特許文献１では、呼吸に起因する被検体の動きは一定の大きさであるとみなし、また、呼吸以外の複雑な動きについては何ら考慮していない。
【００１０】
特に、上述した処置具の挿入に起因する変形は、事前に撮像された３次元画像の気管支形状とは異なると考えられ、投影Ｘ線画像から認識した処置具の３次元位置とはずれが生じる虞があるため、呼吸に起因した体動に基づくシフトを補正するのみでは、処置具の正確な位置を把握することは困難である。
【００１１】
本発明は上記実情に鑑みてなされたものであり、処置具の３次元位置を精度よく検出して画像上に高精度に表示することを目的とする。
【課題を解決するための手段】
【００１２】
上記課題を解決するために、本発明は以下の手段を提供する。
本発明は、放射線源及び検出器の位置を移動させることにより撮影角度の異なる複数の２次元撮像画像を撮像する撮像部と、予め撮像された前記処理対象の３次元画像を取得する画像取得部と、各前記２次元撮像画像に対応させて、前記３次元画像と前記２次元撮像画像を撮像した前記放射線源及び前記検出器の各位置とに基づいて、前記３次元画像から２次元の計算投影画像を作成する計算投影画像作成部と、各前記２次元撮像画像に描出された処置具を示す特徴部位を抽出する特徴部位抽出部と、各前記２次元撮像画像と、該２次元画像に対応する各前記計算投影画像とを位置合せする画像位置合せ部と、各前記２次元撮像画像と、該２次元画像に対応する各前記計算投影画像とを比較して前記２次元撮像画像における前記処理対象の変形量を算出し、該変形量に基づいて前記特徴部位の位置を補正する変形量算出／補正部と、各前記２次元撮像画像において補正された前記特徴部位の位置と、前記２次元撮像画像を撮影した前記放射線源及び前記検出器の各位置から、前記特徴部位の３次元位置を算出する３次元位置算出部と、前記３次元画像から取得した前記処理対象の解剖構造情報に基づいて、前記特徴部位の３次元位置を補正する解剖構造位置補正部と、前記解剖構造位置補正部によって補正された特徴部位の前記３次元位置を前記３次元画像上に重畳させ、補正後の特徴部位の前記３次元位置を重畳させた前記３次元画像を表示装置に表示させる位置マッピング部と、を備えた放射線撮像装置を提供する。
【発明の効果】
【００１３】
本発明によれば、処置具の３次元位置を精度よく検出して画像上に高精度に表示することができる。
【図面の簡単な説明】
【００１４】
【図１】本発明の実施形態に係るＸ線撮像装置の概略構成を示すブロック図である。
【図２】本発明の実施形態に係るＸ線撮像装置において、３次元画像とＸ線源と検出器とを模擬的に配置した模擬体型の一例を示す説明図である。
【図３】本発明の実施形態に係るＸ線撮像装置において、被検体に処置具が挿入された状態で撮影されたＸ線撮影画像の一例を示す参考図である。
【図４】本発明の実施形態に係るＸ線撮像装置の変形量算出／補正部の概略講師柄を示すブロック図である。
【図５】本発明の実施形態に係るＸ線撮像装置の変形量算出／補正部による非剛体変形を説明する説明図である。
【図６】本発明の実施形態に係るＸ線撮像装置の疑似構造付加部における疑似構造の付加を説明する説明図である。
【図７】本発明の実施形態に係るＸ線撮像装置において、処置具の３次元位置を算出する処理の一例を説明する説明図である。
【図８】本発明の実施形態に係るＸ線撮像装置において、解剖構造情報により処置具の３次元位置を補正する処理の一例を説明する説明図である。
【図９】本発明の実施形態に係るＸ線撮像装置において、検出した処置具の位置を３次元画像上に重畳させ、重畳させた画像を表示した場合の表示画面の一例を示す参考図である。
【図１０】本発明の実施形態に係るＸ線撮像装置における処置具等の３次元位置を描出した画像の表示に係る処理の流れを示すフローチャートである。
【図１１】本発明の実施形態に係るＸ線撮像装置の変形量算出／補正部における体動に起因する変形を補正する処理の流れを示すフローチャートである。
【図１２】本発明の実施形態に係るＸ線撮像装置の変形量算出／補正部における処置具が体内に挿入されたことに起因する変形を補正する処理の流れを示すフローチャートである。
【発明を実施するための形態】
【００１５】
本発明の実施形態に係る放射線撮像装置は、放射線源及び検出器の位置を移動させることにより撮影角度の異なる複数の２次元撮像画像を撮像する撮像部と、予め撮像された処理対象の３次元画像と取得する画像取得部と、各２次元撮像画像に対応させて、３次元画像と２次元撮像画像を撮像した放射線源及び検出器の各位置とに基づいて、３次元画像から２次元の計算投影画像を作成する計算投影画像作成部と、各２次元撮像画像に描出された処置具を示す特徴部位を抽出する特徴部位抽出部と、各２次元撮像画像と、２次元画像に対応する各計算投影画像とを位置合せする画像位置合せ部と、各２次元撮像画像と、２次元画像に対応する各計算投影画像とを比較して２次元撮像画像における処理対象の変形量を算出し、変形量に基づいて特徴部位の位置を補正する変形量算出／補正部と、各２次元撮像画像において補正された特徴部位の位置と、２次元撮像画像を撮影した放射線源及び検出器の各位置から、特徴部位の３次元位置を算出する３次元位置算出部と、前記３次元画像から取得した前記処理対象の解剖構造情報に基づいて、前記特徴部位の３次元位置を補正する解剖構造位置補正部と、前記解剖構造位置補正部によって補正された特徴部位の前記３次元位置を前記３次元画像上に重畳させ、補正後の特徴部位の前記３次元位置を重畳させた前記３次元画像を表示装置に表示させる位置マッピング部と、を備えている。
【００１６】
以下、より詳細に本発明の実施形態について、図面を参照してより詳細に説明する。
本実施形態では、一実施形態として放射線撮像装置をＸ線撮像装置に適用した例について説明する。以下、本実施形態に係るＸ線撮像装置について、図面を参照して説明する。
なお、本実施形態に係るＸ線撮像装置は、放射線撮像装置の一例であり、Ｘ線以外によって画像を取得する放射線撮像装置に適用することもできる。
【００１７】
図１に示すように、Ｘ線撮像装置１０１は、有線又は無線のネットワークを介して又は直接、医用画像サーバ１１０と接続され相互に通信可能となっている。ここで、医用画像サーバ１１０は、例えば、ＣＴ画像、ＭＲＩ画像、ＰＥＴ画像又は超音波画像等の種々の医用画像を保存する。これら画像及び情報のネットワークを介した通信や保存は、例えば、医療分野にて一般的に使用されているＤＩＣＯＭフォーマットを用いることにより実現可能である。また医用画像サーバ１１０は、外部の画像処理システム１１１と接続されており、画像処理システム１１１で処理された結果である画像や情報を保存し、保存した画像や情報をＸ線撮像装置１０１に出力することができる。
【００１８】
Ｘ線撮像装置１０１は、Ｘ線源１０２、検出器１０３、装置制御部１０４、表示部１０７、記憶部１０８及びデータ処理部１０９を備えている。
検出器１０３は、Ｘ線源１０２から照射され被検体を透過したＸ線を検出する。装置制御部１０４は、Ｘ線源１０２及び検出器１０３を駆動するための駆動部１０５と、検出器１０３で検出したデータを収集するデータ収集部１０６を備えている。表示部１０７は、データ収集部１０６が収集した及びデータ処理部１０９によって処理された結果を表示する。記憶部１０８は、データ収集部１０６によって収集された各種データ及びデータ処理部１０９によって処理された結果等を記憶する。
【００１９】
データ処理部１０９は、３次元画像取得部１１２、計算投影画像作成部１１３、画像位置合せ部１１４、特徴部位抽出部１１５、変形量算出／補正部１１６、３次元位置算出部１１７、解剖構造位置補正部１１８及びマッピング部１１９を備えている。
【００２０】
３次元画像取得部１１２は、医用画像サーバ１１０から所定の３次元画像を取得すると共に、解剖構造情報を取得する。３次元画像としては、例えば、予め病変部の診断や、処置具を病変部まで挿入するルート等を計画するために用いられる画像を適用する。一般的には、３次元画像として、ＣＴ画像、ＭＲＩ画像及びＰＥＴ画像等を用いることができ、この他、病変部の診断や検査に適切な３次元画像を適用することができる。以下の説明においては、一例として、ＣＴ画像を３次元画像として用いた例について説明する。
ここで、解剖構造情報とは、被検体内の臓器等の構造を示す情報であり、例えば、気管支樹等の気管支構造等がある。これは、３次元画像から得られる情報である。
【００２１】
計算投影画像作成部１１３は、３次元画像取得部１１２により取得した３次元画像に基づいて２次元の計算投影画像を生成する。より具体的には、計算投影画像作成部１１３は、３次元画像取得部１１２が取得した３次元画像を用い、Ｘ線源１０２及び検出器１０３の位置に基づいて２次元の計算投影画像を計算する。
【００２２】
ここで、計算投影画像とは、Ｘ線撮像装置１０１におけるＸ線源１０２及び検出器１０３の空間的な配置に、図２に示すような３次元画像取得部１１２によって取得した３次元画像を配置した模擬体系で、Ｘ線源１０１から検出器１０２に模擬Ｘ線（レイ）を投影し、模擬Ｘ線による検出器１０２での検出画像（例えば、通過距離と画素値等）を算出（レイトレース）した画像である。なお、計算投影画像は、例えば、ＤＲＲ（Digital Reconstructed Radiograph）画像とも呼ばれる。
【００２３】
Ｘ線撮影画像が取得された際のＸ線源１０２及び検出器１０３の３次元位置はＸ線撮像装置の構成から把握することができ、Ｘ線撮影画像の撮像角度も既知である。したがって、後述する位置合わせを考慮して、Ｘ線源１０２、検出器１０３及びこれらの回転角度から、夫々の位置関係を模擬した配置で、計算投影画像を計算する。例えば、計算投影画像は、上述のようなレイトレース法を用いて、３次元画像としての画像の画素値をレイ方向に加算した数値として計算する。さらに、計算投影画像を、Ｘ線撮影画像を取得した各角度で計算する。
【００２４】
画像位置合せ部１１４は、まず、Ｘ線撮影画像と計算投影画像とを位置合せする。つまり、画像位置合わせ部１１４は、Ｘ線撮像装置１０１により取得した２次元のＸ線撮影画像と計算投影画像作成部１１３により生成された計算投影画像との位置合わせを行う（図２参照）。
【００２５】
画像位置合わせ部１１４は、２つの画像は共に２次元画像であることから、計算投影画像を移動・回転させ、計算投影画像とＸ線撮影画像との類似度（例えば、相互情報量等）を計算し、類似度を示す値が最大もしくは最小となる移動・回転パラメータを剛体位置合わせパラメータとして求める。また類似度の他に、画像中の基準部位を対応させる移動・回転パラメータを算出し、これを剛体位置合わせパラメータとして利用することもできる。
【００２６】
画像位置合わせ部１１４は、位置合せのための剛体位置合わせパラメータとして、例えば、３次元画像から作成した計算投影画像と、Ｘ線撮影画像との位置合せから、平行移動３自由度及び撮影方向を軸とする回転（平面内回転）２自由度を算出する。算出したパラメータを用いて、Ｘ線撮影画像と計算投影画像とを位置合わせする。
【００２７】
３次元画像と２次元画像の位置合せの剛体位置合わせパラメータ算出については、前述の３次元画像から計算投影画像を求め、Ｘ線撮影画像と位置合せ法とは、他の方法で行うこともできる。例えば、３次元画像を移動・回転させて計算投影画像を作成し、計算投影画像とＸ線撮影画像との画素値の比較を繰返し、類似度が最大、もしくは最小となるパラメータを探索することにより平行移動（直交軸）３自由度と及び直交の各軸周りの回転３自由度、計６自由度を算出することができる。
【００２８】
本実施形態における画像位置合せでは、いずれの位置合せ法を用いてもよく、種々の手法を適用することができる。なお、位置合せは、３次元画像では移動、回転の６パラメータを位置合せする、いわゆる剛体位置合せであるため、主に骨などの剛体領域の位置合せに適している。
【００２９】
特徴部位抽出部１１５は、Ｘ線撮影画像における処置具等を示す１以上の特徴的な領域を特徴部位として抽出する。特徴部位としては、処置具に設けられたマーカや、処置具の先端等を示す領域を用いることができる。
【００３０】
図３に、被検体に処置具が挿入された状態で撮影されたＸ線撮影画像の例を示す。処置具はＸ線の高吸収領域であるため、図３に示すように、Ｘ線撮影画像上では人体構造物に比較して高いコントラストを有している。このようなＸ線撮影画像上の人体構造物を示す領域と処置具を示す領域とにおけるコントラストの差異に基づいて、高コントラスト領域を抽出することで例えば、処置具である鉗子先端を特徴部位として検出する。
【００３１】
また、処置具がガイドシースである場合、ガイドシースに設けられるマーカは、Ｘ線撮影画像において、人体構造物やガイドシース本体とは異なる輝度を示す領域として描出されるため、マーカを処置具の特徴部位として抽出することができる。
【００３２】
変形量算出／補正部１１６は、Ｘ線撮影画像と計算投影画像から被検体の変形量を算出し、特徴部位抽出部１１５によって抽出された特徴部位の撮影面内における位置を補正する。
Ｘ線撮像装置で取得されたＸ線撮影画像と、事前に撮像された３次元画像は、撮像した装置が異なり、同一の時刻に撮像されたものではいことは勿論、通常は、撮像時の体勢、環境等が異なる。また、被検体の体動、例えば心臓の動きや、呼吸等により人体は非剛体的に変形するため、撮像時刻が異なる２以上の画像間には上記体動に起因した変形が含まれることが多い。
【００３３】
更に、処置具を体内に挿入した場合には、体内の軟組織領域は一般的に処置具よりも柔らかいため、挿入によって体内の組織に変形が生じる場合がある。これら変形は、骨などの固い領域、いわゆる剛体領域には殆ど生じないが、軟組織領域のような柔らかい領域において生じやすい。また、処置具等は、管状組織の内部に挿入されるため、軟組織と共に体動の影響も受けることとなる。従って、処置具を体内に挿入した場合には、Ｘ線撮影画像及びＸ線撮影画像間には、処置具に起因した変形が含まれることがある。
【００３４】
つまり、被検体に生じる変形は、大きく分けて、例えば心臓の動きや呼吸等の体動に起因する変形と、処置具が体内に挿入されたことによって生じる変形との２種類が考えられる。従って、変形量算出／補正部１１６は、これらの２種の変形を必要に応じて補正する。
【００３５】
変形量算出／補正部１１６は、このような変形を補正するために、図４に示すように、変形量算出／補正部１１６は、非剛体変形部５０１、画像比較部５０２、変形パラメータ算出部５０３、撮影面内位置補正部５０４及び模擬構造付加部５０５を備えている。
【００３６】
非剛体変形部５０１は、Ｘ線撮影画像を非剛体変形させる。より詳しくは、非剛体変形部５０１は、まず、図５に示すようにＸ線撮影画像上に格子状のメッシュを設定し、格子状の各点が例えばスプライン関数等の滑らかな曲線に沿って移動すると仮定して格子状の各点を移動させる。そして、非剛体変形部５０１は、格子状の各点の移動に応じて画素を変換することにより、非剛体変形させる。なお、移動するひとつ又は複数の格子点の選択、移動量や移動方向は、適宜予め定めることができる。
【００３７】
画像比較部５０２は、非剛体変形部５０１により非剛体変換したＸ線撮影画像と、計算投影画像とを比較し、両者の類似度を計算する。ここでは、画像位置合わせ部１１４における類似度の計算と同様に、２つの画像は共に２次元画像であることから、計算投影画像を移動・回転させ、非剛体変形したＸ線撮影画像と剛体領域を減弱した計算投影画像との類似度（例えば、相互情報量等）を計算する。
【００３８】
変形パラメータ算出部５０３は、画像比較部５０２おいて計算した類似度のうち、類似度を示す値が最大（あるいは相違度が最小）となるパラメータを、非剛体変形パラメータとして算出する。
【００３９】
撮影面内位置補正部５０４は、非剛体変形パラメータに基づいて特徴部位の２次元画像上の位置がどの程度移動したかを表す変形移動量を計算し、Ｘ線撮影画像の面内の特徴部位の位置を補正する。変形移動量として算出する移動量ベクトルは、非剛体位置合せ前の特徴部位の位置と、非剛体位置合せ後の特徴部位の位置から求めることができる。また、位置合せ前の位置と位置合せ後の位置を結ぶベクトルを算出することもできる。
【００４０】
疑似構造付加部５０５は、３次元画像取得部１１２により取得した３次元画像と共に、画像処理システム１１１により予め算出され医用データサーバ１１０に格納されている被検体の体内構造に基づく形状、例えば気管及び気管支領域、処理具の挿入ルートを取得し、図６に示すように、取得した処置具ルートを疑似構造として付加する。
【００４１】
３次元画像では体内構造が明瞭であるため、気管及び気管支等の管状構造を把握することが容易であり、気管及び気管支データの作成、病変部までの処置具の挿入ルートを事前に計画し、気管及び気管支に沿った処置具ルートを点集合や線集合のデータとして生成し保存することができる。従って、このようなデータを予め医用画像サーバ１１０等の記憶装置に記憶しておくことで簡易に処置具のルートを取得することができる。
【００４２】
医用画像サーバ１１０から取得した３次元画像と処置具ルートに関するデータの例を図６中左上に示している。すなわち、疑似構造付加部５０５は、３次元画像に処置具ルートに関する情報を模擬構造として付加、重畳させることで、計算投影画像とＸ線投影画像とを比較した場合に、計算投影画像における模擬構造の位置と実際の特徴部位の位置（処置具の位置）とを比較することができる。これにより、模擬構造と特徴部位の位置のずれから、処置具を挿入したことに起因して被検体に変形が生じているか否かを把握することができる。
【００４３】
３次元位置算出部１１７は、Ｘ線源の位置とＸ線撮影画像内で特定された特徴部位の位置に基づいて、特徴部位の３次元位置を算出する。
具体的には、例えば、Ｘ線撮影画像において抽出した特徴部位としての処置具先端位置と、処置具先端位置と対応する検出器１０３の位置を求める。対応する検出器１０３の３次元位置は、Ｘ線撮像装置１０１上における検出器１０３の装置構成から求める。これは、Ｘ線撮影画像上の処置具先端位置は、Ｘ線源から検出器１０３に向け投影されたものであるため、Ｘ線源とＸ線撮影画像上の処置具先端とを結ぶ直線上の３次元位置に処置具先端があるからである。その結果、３次元位置算出部１１３は、例えば、抽出した鉗子先端位置の検出器１０３上（Ｘ線撮影画像上）の３次元位置（図７のＤ１、Ｄ２）を算出することができる。
【００４４】
さらに、３次元位置算出部１１７は、処置具に対して複数の特徴部位がある場合にはそれぞれについて、検出器１０３上（Ｘ線撮影画像上）の３次元位置とＸ線源の３次元位置から２点を結ぶ直線を算出する。Ｘ線源１０２の３次元位置は、Ｘ線撮像装置１０１におけるＸ線源１０２の装置構成から求めることができるので、例えば特徴部位としての鉗子先端位置の検出器１０３上（２次元Ｘ線撮影画像上）の３次元位置と、Ｘ線源１０２の３次元位置から、その２点を結ぶ直線を算出することができる。
【００４５】
Ｘ線撮像装置においては、被写体に対して角度を異ならせて複数回の撮像を行うため、複数のＸ線撮影画像が取得される。従って、例えば、３次元位置算出部１１７は、例えば異なる２つの角度で撮影されたＸ線撮影画像について、Ｘ線源の３次元位置と、鉗子先端又はガイドシースのマーカ等の特徴部位の位置の検出器１０３上（Ｘ線撮影画像上）の３次元位置とを結ぶ直線が、各特徴部位に対して２本ずつ得られることになる。３次元位置算出部１１７は、異なる角度で撮像された複数のＸ線撮影画像における処置具の各特徴部位に関して算出された２直線の位置関係から、処置具を示す特徴部位の３次元位置を算出する。
【００４６】
以下、線撮像装置の実施形態における処置具の３次元位置を算出する例について説明する。
図７に示すように、Ｘ線源の３次元位置Ｓ１とＸ線撮影画像１における特徴部位の３次元位置Ｄ１を結ぶ直線Ｌ１と、回転したＸ線源の３次元位置Ｓ２とＸ線撮影画像２における特徴部位の３次元位置Ｄ２とを結ぶ直線Ｌ２は、同一の鉗子先端等の特徴部位を投影したものである。このため、直線Ｌ１とＬ２とは、１点で交わることが理想的であるが、実際には計測誤差等によって、必ずしも１点で交わるとは限らない。そこで２つの直線の距離が最も近くなる直線Ｓ１−Ｄ１上の点Ｑ１と、直線Ｓ２−Ｄ２上の点Ｑ２を求め、例えばその２点の中点を鉗子先端位置とすることができる。
【００４７】
図７に示す点Ｑ１及び点Ｑ２は、以下の式に従って求めることができる。
Ｑ１＝Ｓ１＋（Ｄ１−Ｄ２＊Ｄｖ）／（１−Ｄｖ＊Ｄｖ）＊ｖ１
Ｑ２＝Ｓ２＋（Ｄ２−Ｄ１＊Ｄｖ）／（Ｄｖ＊Ｄｖ−１）＊ｖ２
但し、
Ｄ１＝（Ｓ２−Ｓ１）ｖ１
Ｄ２＝（Ｓ２−Ｓ１）ｖ２
Ｄｖ＝ｖ１・ｖ２
【００４８】
上記の式により求めた点Ｑ１及び点Ｑ２の３次元位置から、次式を用いて鉗子先端位置の３次元位置を算出することができる。
（Ｑ１＋Ｑ２）／２
【００４９】
解剖構造位置補正部１１８は、３次元位置算出部１１７により算出した特徴部位の３次元位置を被検体の解剖構造情報に基づいて補正する。
解剖構造位置補正部１１８による特徴部位の３次元位置に対する補正は以下のように行われる。
【００５０】
ここで、医用画像サーバ１１０に格納されている３次元画像は、被検体の３次元構造をすべて保持しているため、解剖構造情報として、例えば、内視鏡や処置具が挿入される気管支構造を３次元画像から取得することができる。本実施形態では、３次元画像から得られる解剖構造情報を、当該３次元画像と対応付けて医用画像サーバ１１０に予め記憶しておき、３次元画像取得部１１２が医用画像サーバ１１０から３次元画像と共に解剖構造情報を取得する。
【００５１】
図８は、３次元画像から得た解剖構造情報としての気管支樹に係る情報をボリュームレンダリングした例を示している。以下、気管支に処置具を挿入している例について説明する。
図８の場合、処置具を気管支内に挿入するため、処置具を示す特徴部位は解剖構造内つまり気管支内に存在するはずである。これに基づいて、処置具の特徴部位の３次元位置を、解剖構造内に位置するように補正する。より具体的には、例えば、予め取得した解剖構造情報である気管支構造と、処置具を示す特徴部位の３次元位置との距離を算出し、特徴部位の３次元位置が気管支構造から最短距離に位置するように移動させることにより、３次元位置を解剖構造内に位置するように補正することができる。
【００５２】
位置マッピング部１１９は、３次元画像取得部１１１により取得した３次元画像に解剖構造位置補正部１１８により補正した特徴部位の３次元位置を付加、すなわち重畳させる。
Ｘ線撮影画像における被検体の位置と、医用画像サーバ１１０から取得した３次元画像における被検体の位置は、画像位置合わせ部１１４により位置合わせされている。
【００５３】
従って、例えば、Ｘ線撮影画像における特徴部位としての処置具先端の３次元位置を３次元画像に重畳させることができる。同様に特徴部位がガイドシースのマーカである場合も、当該マーカの３次元位置を３次元画像上に重畳させることができる。位置マッピング部１１９は、特徴部位が重畳された３次元画像を表示部１０７及び記憶部１０８に出力し、例えば、図９に示すように表示部１０７に表示させると共に、記憶部１０８に記憶させる。
【００５４】
なお、図９の例では、３次元画像として断層画像を示しているが、他の２次元画像や立体画像等の３次元画像を適用することもできる。
図９の例では互いに撮像方向の異なる２枚のＸ線撮影画像１及びＸ線撮影画像２と共に、医用画像サーバ１１０から取得した３次元画像において特徴部位（処置具）の位置を重畳させた画像、解剖構造のボリュームレンダリング画像上に特徴部位（処置具）の３次元位置を重畳させた画像を表示した例である。また、３次元画像及びボリュームレンダリング画像には、変形量に対する補正の有無を示している。
【００５５】
このように構成されたＸ線撮像装置において、処置具等の３次元位置を描出した画像の表示に係る処理の流れについて、図１０のフローチャートに従って説明する。
なお、Ｘ線撮影画像においては、撮影角度を異ならせて撮影した複数のＸ線撮影画像が必要であるが、ここでは説明の便宜上、２枚のＸ線撮影画像を取得する場合について説明する。
【００５６】
ステップＳ２０１において、Ｘ線撮像装置１０１は、２枚のＸ線撮影画像を取得する。
Ｘ線撮像装置１０１は、装置制御部１０４の駆動部１０５によりＸ線源１０２及び検出器１０３を駆動させて所望の位置へ移動させ、Ｘ線源１０２のＸ線管から照射され被検体を透過したＸ線を検出器１０３によって検出し、検出したデータをデータ収集部１０６により収集し、２次元のＸ線撮影画像を取得する。Ｘ線撮影画像は、データ収集部１０６からデータ処理部１０９へ送られる。さらに、駆動部１０５により角度又は方向を変更して、同様の撮像を行い先の処理と併せて計２枚のＸ線撮影画像を取得する。
【００５７】
なお、ステップＳ２０１ではＸ線撮像装置１０１により撮影角度を異ならせて複数の２次元画像を撮影することとしているが、画像の取得が必ずしも撮影である必要はなく、例えば、データ処理部１０９が、他の放射線撮像装置において撮影された撮影角度の異なる複数の２次元画像を所定のデータベース等から取得することとしてもよい。
【００５８】
次にステップＳ２０２において、３次元画像取得部１１２により医用画像サーバ１１０から所定の３次元画像を取得し、この３次元画像に基づいて計算投影画像作成部１１３により２次元の計算投影画像を生成する。
ステップＳ２０３では、画像位置合せ部１１４により、Ｘ線撮像装置１０１により取得した２次元のＸ線撮影画像と計算投影画像作成部１１３により生成された計算投影画像との位置合わせを行い、次のステップＳ２０４では、特徴部位抽出部１１５によりＸ線撮影画像における特徴部位を抽出する。
【００５９】
次のステップＳ２０５では、変形量算出／補正部１１６により、Ｘ線撮影画像と計算投影画像から被検体の変形量を算出する。変形量の算出にかかる処理の流れについては後述する。ステップＳ２０６では、ステップＳ２０５において変形量算出／補正部１１６によって算出した被検体の変形量と、ステップＳ２０４において特徴部位抽出部１１５により抽出したＸ線撮影画像における特徴部位を用いて、Ｘ線撮影画像上の特徴部位の位置を補正する。
【００６０】
次のステップＳ２０７では、３次元位置算出部１１７により、Ｘ線撮影画像において抽出され且つ変形量に基づいて位置が補正された特徴部位の、Ｘ線撮影画像上の３次元位置を算出する。続いて、ステップＳ２０８において、ステップＳ２０７で得られたＸ線撮影画像における特徴部位の３次元位置とＸ線源の３次元位置とを結ぶ直線を算出する（図７参照）。なお、特徴部位が複数個所ある場合には、特徴部位毎に、当該特徴部位のＸ線撮影画像上の３次元位置とＸ線源の３次元位置とを結ぶ直線を算出する。
【００６１】
本実施形態では、上記ステップＳ２０１において、Ｘ線撮影画像が２枚取得されていることから、ステップＳ２０２〜ステップＳ２０８において、各処理はＸ線撮影画像毎に行われる。従って、１つの特徴部位に対して、当該特徴部位のＸ線撮影画像上の３次元位置とＸ線源の３次元位置とを結ぶ直線は２本得られることとなる。Ｘ線撮影画像が複数取得されている場合には、撮影枚数分の直線が得られることとなる。
【００６２】
ステップＳ２０９では、３次元位置算出部１１７により、上記ステップＳ２０８で得られた特徴部位に対する２本の直線の位置関係に基づいて特徴部位の３次元位置を算出する。次のステップＳ２１０において、解剖構造位置補正部１１８によって、ステップＳ２０９で得られた特徴部位の３次元位置を、医用画像サーバ１１０から取得した被検体の解剖構造情報に基づいて補正する（図８参照）。
【００６３】
そして、次のステップＳ２１１において、位置マッピング部１１９により、３次元画像上に特徴部位の３次元位置を重畳させ、重畳させた画像データを表示部１０及び記憶部１０８に出力する。ステップＳ２１２において、位置マッピング部１１９から取得した特徴部位の３次元位置が重畳された３次元画像を、表示部１０８に表示させる（図９参照）と共に記憶部１０８に記憶させる。
【００６４】
続いて、変形量算出／補正部１１６による被検体に生じる、体動に起因する変形と、処置具が体内に挿入されたことによって生じる変形の補正の処理の流れについて図１１及び図１２のフローチャートに従って説明する。
【００６５】
（体動に起因する変形の補正）
図１１は、変形量算出／補正部１１６による体動に起因する変形を補正する処理の流れを示すフローチャートである。
ステップＳ６０１において、非剛体変形部５０１が、図１０のステップＳ２０４において位置合わせされたＸ線投影画像を取得し、ステップＳ６０２においてＸ線撮影画像を非剛体変形させる。次のステップＳ６０３において、画像比較部５０２が、非剛体変形部５０１により非剛体変換したＸ線撮影画像と、剛体領域を計算投影画像とを比較し、両者の類似度を計算する。
【００６６】
ステップＳ６０４では、変形パラメータ算出部５０３により、画像比較部５０２おいて計算した類似度に基づいて非剛体変形パラメータを算出する。ステップＳ６０４の処理は、ステップＳ６０３において算出した類似度が最大であるか否かを判定し、最大でなければ、ステップＳ６０２に戻り処理を繰り返す。類似度が最大である場合には、類似度を示す値が最大（あるいは相違度が最小）となるパラメータを、非剛体変形パラメータとして算出しステップＳ６０５に進む。
【００６７】
ステップＳ６０５では、撮影面内位置補正部５０４により、非剛体変形パラメータに基づいて特徴部位の２次元画像上の位置がどの程度移動したかを表す変形移動量を計算する。
【００６８】
（処置具が体内に挿入されたことによって生じる変形の補正）
図１２は、変形量算出／補正部１１６による処置具が体内に挿入されたことによって生じる変形を補正する処理の流れを示すフローチャートである。
疑似構造付加部５０５により、３次元画像取得部１１２により医用画像サーバ１１０から取得した３次元画像をステップＳ８０１において取得すると共に、ステップＳ８０２において処置具ルートを取得する（ステップ８０２）。
【００６９】
ステップＳ８０３において、疑似構造付加部５０５により、３次元画像に処置具ルートを疑似構造として付加する。次に、ステップＳ８０４において、疑似構造付加部５０５によって疑似構造が付加された３次元画像に対し、計算投影画像作成部１１３により疑似計算投影画像を生成する。この疑似構造を付加した３次元画像から疑似計算投影画像を作成することにより、疑似構造を付加していない３次元画像からの計算投影画像では描出されなかった、処置具ルートから作成した疑似的な処置具の投影像を描出することができる。
【００７０】
次のステップＳ８０５において、非剛体変形部５０１により、Ｘ線撮影画像を非剛体変形させ、ステップＳ８０６において、画像比較部５０２により、Ｘ線撮影画像と疑似構造を付加した疑似計算投影画像をと比較し、両者の類似度を計算する。
【００７１】
ステップＳ８０７では、変形パラメータ算出部５０３により、ステップＳ８０６において画像比較部５０２が計算した類似度に基づいて非剛体変形パラメータを算出する。ステップＳ８０７の処理は、ステップＳ８０７において算出した類似度が最大であるか否かを判定し、最大でなければ、ステップＳ８０５に戻り処理を繰り返す。類似度が最大である場合には、類似度を示す値が最大（あるいは相違度が最小）となるパラメータを、非剛体変形パラメータとして算出しステップＳ８０８に進む。
【００７２】
なお、ステップＳ８０７では、Ｘ線投影画像と疑似構造を付加した疑似計算投影画像とを比較するため、体動のみならず、処置具挿入による被検体の変形を考慮した非剛体変換パラメータを求めることができる。
次のステップＳ８０８において、撮影面内位置補正部５０４により、ステップＳ８０７で算出された非剛体変形パラメータを用いて、撮影面内における変形量を算出する。
このように、処置具ルートを疑似構造として予め付加した画像を用いて被検体の変形を演算するので、体動のみならず、処置具挿入に起因した被検体の変形を補正することができる。
【００７３】
このように本実施形態によれば、処置具の３次元位置を精度よく検出して画像上に高精度に表示することができる。すなわち、本実施形態では、Ｘ線撮影画像と予め取得したＣＴ画像等の３次元画像とを用いることで、処置具の３次元位置を検出することができる。特に、呼吸や拍動等の体動は勿論、処置具が挿入されたことによる被検体の体内変形に起因してＸ線撮影画像上で認識された処理具位置を、予め取得した３次元画像と比較することにより補正するので、高精度に処置具の３次元位置を検出し、画像上に描画し、これを表示することができる。
【００７４】
また、３次元画像に基づいて、例えば、処置具の挿入ルートに関する情報を取得してこれを描画、表示させることで、ユーザは、処置具位置の確認及び挿入ルートを容易に確認することができる。
なお、データ処理部１０９は、その一部又は全部をＣＰＵ（中央処理装置）、メモリ及び主記憶部を含むシステムとして構築することができ、データ処理部１０９を構成する各部の機能は、予め記憶部に格納されたプログラムをＣＰＵがメモリにロードし、実行することにより実現することができる。また機能の一部または全部を、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）や  ＦＰＧＡ（Ｆｉｅｌｄ  Ｐｒｏｇｒａｍｍａｂｌｅ  Ｇａｔｅ  Ａｒｒａｙ）などのハードウェアで構成することも可能である。
【符号の説明】
【００７５】
１０１・・・Ｘ線撮像装置、１０２・・・Ｘ線源、１０３・・・検出器、１０４・・・装置制御部、１０５・・・駆動部、１０６・・・データ収集部、１０７・・・表示部、１０８・・・記憶部、１０９・・・データ処理部、１１０・・・医用画像サーバ、１１１・・・画像処理システム、１１２・・・３次元画像（解剖構造／処置具ルート）取得部、１１３・・・計算投影画像作成部、１１４・・・画像位置合せ部、１１５・・・特徴部位抽出部、１１６・・・変形量算出／補正部、１１７・・・３次元位置算出部、１１８・・・解剖構造位置補正部、１１９・・・位置マッピング部、５０１・・・非剛体変形部、５０２・・・画像比較部、５０３・・・変形パラメータ算出部、５０４・・・撮影面内位置補正部、５０５・・・疑似構造付加部
【図１】
2019069037.tif 000003
【図２】
2019069037.tif 000004
【図３】
2019069037.tif 000005
【図４】
2019069037.tif 000006
【図５】
2019069037.tif 000007
【図６】
2019069037.tif 000008
【図７】
2019069037.tif 000009
【図８】
2019069037.tif 000010
【図９】
2019069037.tif 000011
【図１０】
2019069037.tif 000012
【図１１】
2019069037.tif 000013
【図１２】
2019069037.tif 000014